(57)【要約】      （修正有）【課題】遊技機の外部に位置する前扉と遊技機の内側に収容された遊技盤の盤面とが一体となったデザイン性を提供する。【解決手段】前扉Ｄの正面に設けられた扉装飾部１１と、遊技盤の正面に設けられた盤面装飾部とを備え、扉装飾部１１及び盤面装飾部は、前扉Ｄを正面視したとき、扉装飾部１１の少なくとも一部（可動体１３）、盤面装飾部の少なくとも一部とが一体となって、ひとまとまりの図形又は文字もしくはそれらの組み合わせを構成する。可動体１３は操作部として機能する。【選択図】図４
2017064045.tif 000002
【特許請求の範囲】
【請求項１】
遊技球が流下する遊技領域を有する遊技盤と、
前記遊技盤の正面側に位置する透明板を有し前記遊技盤を覆う前扉と、
前記前扉の正面側に設けられた扉装飾部と、
前記透明板の背面側であって前記遊技盤の正面に設けられた盤面装飾部と、を備え、
前記遊技盤を前記前扉で覆った状態で正面視したとき、前記扉装飾部の少なくとも一部と、前記透明板越しに見える前記盤面装飾部の少なくとも一部とが一体となって、ひとまとまりの図形又は所定の文字もしくは図形と文字の組み合わせを構成することを特徴とする遊技機。
【請求項２】
前記扉装飾部の少なくとも一部が、前方から押圧操作可能な操作部として機能することを特徴とする請求項１記載の遊技機。
【発明の詳細な説明】
【技術分野】
【０００１】
本発明は、装飾部を備えた遊技機に関するものである。
【背景技術】
【０００２】
この種の遊技機、例えばパチンコ遊技機は、遊技球が流下する遊技領域を形成する遊技盤を枠体に収容し、この枠体に遊技領域を前方から覆う透明板を保持する前扉を取り付けて構成されている。遊技機の前扉は、内部の構成部品を保護するだけでなく、遊技機の外観意匠を構成する装飾機能をも備えており、前扉には様々な装飾部が設けられる。
例えば、特許文献１には、前扉（透明部材保持枠）の前面に馬の形をした装飾役物を設け、この装飾役物は、少なくとも一部が、透明部材の前方で動作可能となるようにした遊技機が開示されている。
また、特許文献２には、前扉（保護カバー）に設けられた装飾ランプの一部が、遊技機の枠体の端縁から外方へ突出するように可動するようにした遊技機が開示されている。
【先行技術文献】
【特許文献】
【０００３】
【特許文献１】特開２０１５−６２６３５号公報
【特許文献２】特開２００７−２０７５３号公報
【発明の概要】
【発明が解決しようとする課題】
【０００４】
しかし、従来の遊技機では、前扉に設けられる装飾部の意匠は、遊技盤に設けられる装飾部とは別々に形成されていたので、前扉の装飾部は遊技盤の周囲を飾る装飾部として機能するのみであり、前扉と遊技盤の盤面とが一体となったデザイン性を提供することができなかった。
そこで、本願発明は、遊技機の外部に位置する前扉と遊技機の内側に収容された遊技盤の盤面とが一体となったデザイン性を有する遊技機を提供することを目的とする。
【課題を解決するための手段】
【０００５】
上述した目的を達成するために、本発明は次のように構成されている。
本発明に係る遊技機（パチンコ機Ｐ）は、遊技球が流下する遊技領域１２０を有する遊技盤１１０と、前記遊技盤１１０の正面側に位置する透明板４００を有し前記遊技盤１００を覆う前扉Ｄと、前記前扉Ｄの正面側に設けられた扉装飾部１１と、前記透明板４００の背面側であって前記遊技盤の正面に設けられた盤面装飾部１２と、を備え、前記遊技盤１００を前記前扉Ｄで覆った状態で正面視したとき、前記扉装飾部１１の少なくとも一部と、前記透明板４００越しに見える前記盤面装飾部１２の少なくとも一部とが一体となって、ひとまとまりの図形又は所定の文字もしくは図形と文字の組み合わせを構成することを特徴とする。
【０００６】
本発明においては、遊技盤１００を前記前扉Ｄで覆った状態、すなわち遊技盤１１０を前扉Ｄの内側に設置した状態で前扉Ｄを正面視すると、扉装飾部１１の一部又は全部と、盤面装飾部１２の一部又は全部が合わさって、ひとまとまりの図形（円形や星形など）や、所定の意味を成す文字（漢字、ひらがな、かたかな、英数字、それらの組合せ）が構成される。これにより、前扉Ｄと遊技盤１１０とが意匠的に一体化され、デザイン性を向上させることができる。
ここで、前記扉装飾部１１の少なくとも一部、例えば盤面装飾部１２と一体になってひとまとまりの図形又は所定の文字を構成する部分（可動体１３）が、前方から押圧操作可能な操作部として機能するようにしてもよい。このように形成することにより、遊技者参加型の演出を行うことができ、遊技性をも高めることができる。
【発明の効果】
【０００７】
本発明によれば、遊技機の外部に位置する前扉と遊技機の内側に収容された遊技盤の盤面とが一体となったデザイン性を有する遊技機を提供することができる。
【図面の簡単な説明】
【０００８】
【図１】パチンコ機の外観正面図である。
【図２】遊技盤ユニット及び機枠の斜視図である。
【図３】パチンコ機の遊技盤の正面概略図である。
【図４】前扉上部の斜視図である。
【図５】図１のＶ−Ｖ線断面図である。
【発明を実施するための形態】
【０００９】
以下、本発明の好適な実施の形態を、図面を参照しつつ説明する。
なお、本明細書において、パチンコ機Ｐに設けられた各構成部品についての、前後（正面背面）、左右（側面）、上下（平面底面）の方向は、各構成部品をパチンコ機Ｐに固定した状態でパチンコ機Ｐを正面視したときの方向を示すものとする。
（パチンコ機Ｐの外部構成）
本形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置Ｒから遊技球の貸し出しを受けることができるようになっている。
【００１０】
本形態に係るパチンコ機Ｐは、図１及び図２に示すように、島に固定される四角形状の枠体であって、中空部を有する機枠Ｆ１と、この機枠Ｆ１にヒンジ機構（特に図示しておらず）により開閉自在に取り付けられる四角形状の枠体であって、中空部を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１１】
本体枠Ｆ２の中空部には、図２に示すように、遊技領域１２０を形成する遊技盤１１０と、遊技盤１１０の後方に配置されるセット板１００とから構成される遊技盤ユニット１が収容されている。なお、図２においては、遊技盤１１０の盤面の構成を省略している。セット板１００は、パチンコ機Ｐの作動を制御する制御装置（特に図示しておらず）や、画像を表示するための液晶表示装置２１０（図３参照）などを取り付けるためのものである。また、機枠Ｆ１の左側には、図２に示すように、平面視Ｖ字型の本体押圧板４０が上下に並んで２個取り付けられている。そして、機枠Ｆ１に対して本体枠Ｆ２を閉じたときに、本体押圧板４０がセット板１００の背面部を押圧するようになっている。なお、遊技盤ユニット１の左下部には、放電用のアース板金２０が取り付けられている。
【００１２】
また、図１に示すように、前扉Ｄには、開口部を覆う透明板４００と、透明板４００の下方に位置し遊技球を受容可能な上皿６００及び受皿７００と、受皿７００の右方に取り付けられ遊技球の発射操作を行うための操作ハンドル５００と、左下部に位置するスピーカＳＰと、が設けられている。
このパチンコ機Ｐでは、機枠Ｆ１に対して本体枠Ｆ２を閉じ、さらに、前扉Ｄを閉じると、前扉Ｄが遊技盤１１０を覆い、遊技盤１１０の前方に透明板４００が位置することとなる。これにより、透明板４００を介して、後方に位置する遊技盤１１０を視認することができるようになっている。
【００１３】
また、図１に示すように、パチンコ機Ｐの上部には、上部装飾ユニット１０が設けられている。本実施の形態における上部装飾ユニット１０は、前扉Ｄの扉枠５０（図４参照）の正面側に設けられる扉装飾部１１と、遊技盤１１０に設けられる盤面装飾部１２とから構成され、前扉Ｄを閉じた状態で正面視したとき、扉装飾部１１と盤面装飾部１２とが一体化した意匠を形成するようになっているが、これについては後述する。
【００１４】
前記上皿６００には、図示しない球貸機から貸し出される遊技球や、パチンコ機Ｐから払い出される賞球が導かれるようになっている。上皿６００が遊技球で満杯になった場合には、パチンコ機Ｐから払い出される賞球は下皿７００に導かれる。下皿７００には図示しない開閉レバーが設けられており、開閉レバーを操作することにより下皿７００の底部に設けられた排出口を開いて、下皿７００に溜まった遊技球を下皿７００の外に排出できるようになっている。また、上皿６００には、図示していないが、遊技者が操作可能であり、演出等に使用することができるプッシュボタン等の操作部が設けられている。
前記操作ハンドル５００は、遊技球を打ち出すためのものであり、遊技者が回転操作可能に形成されている。ここで、上皿６００は、図示しない遊技球の発射装置に遊技球を供給する供給通路（図示せず）を備えており、上皿６００の遊技球が供給通路から発射装置に供給された状態で遊技者が操作ハンドル５００を回転させて発射操作を行うと、当該操作ハンドル５００の回転角度に応じた強度で、図示しない発射機構によって遊技球が発射される。
【００１５】
遊技盤１１０は、透明なアクリル板であり、遊技盤１１０の盤面には、図２及び図３に示すように、金属製の外レールＲ１及び内レールＲ２からなるガイドレールＲが設けられている。そしてこのガイドレールＲによって略円形状に仕切られた領域が、遊技領域１２０を形成する。また、遊技領域１２０の左側方の領域において、外レールＲ１と内レールＲ２との間には、遊技球の発射通路が形成されており、発射機構から発射された遊技球は、発射強度が十分な場合に発射通路内を外レールＲ１に沿って上り、遊技領域１２０の左上部から遊技領域１２０内に放出される。
【００１６】
遊技領域１２０は、図３に示すように、パチンコ機Ｐに対向する遊技者から見て左側の領域である第１遊技領域１２１と、パチンコ機Ｐに対向する遊技者から見て右側の領域である第２遊技領域１２２とから構成されている。これら２つの遊技領域１２０は、発射装置の発射強度により、遊技球の進入可能性が異なるようになっている。具体的には、発射装置の発射強度が所定の強度未満（発射装置により発射される遊技球が遊技領域１２０の最高地点に到達しない程度の強度）の場合には、遊技球は第１遊技領域１２１に進入する。これに対して、発射装置の発射強度が所定の強度以上（発射装置により発射される遊技球が遊技領域１２０の最高地点に到達可能な強度）の場合には、遊技球は第２遊技領域１２１に進入する。
【００１７】
また、この遊技領域１２０内には、図３に示すように、遊技球の流下方向を不規則にするための風車及び多数の釘と、遊技球が入球可能な一般入賞口１４０と、始動領域としての第１始動入賞口１５０及び第２始動入賞口１６０と、遊技球が通過可能なゲート２００と、所定条件を満たすことで作動するアタッカー装置１７０と、遊技球を遊技領域１２０外へ導くアウト口１９０と、が設けられている。
遊技領域１２０の中央部には、セット板１００に固定された液晶表示装置２１０の表示画面２１１が位置しており、透明な遊技盤１１０を透して表示画面２１１を視認可能となっている。
【００１８】
本実施の形態では、第２始動入賞口１６０として、第１始動入賞口１５０の右側に並んで配置される第２始動入賞口１６０Ａと、第２始動入賞口１６０Ａの右方であってゲート２００の下方に配置される第２始動入賞口１６０Ｂとの２つが設けられている。そして、第１始動入賞口１５０と第２始動入賞口１６０Ａへは、第１遊技領域１２１を流下する遊技球を受け入れ可能であるとともに、受け入れた遊技球を左右に振り分ける振分装置２５０によって、交互に遊技球を入球させることができるように形成されている。振分装置２５０は、第１遊技領域１２２を流下する遊技球は受け入れ不能であるため、第１始動入賞口１５０及び第２始動入賞口１６０Ａへは、第２遊技領域１２２を流下する遊技球は入球できないようになっている。
【００１９】
また、第２始動入賞口１６０Ｂには、図３に示すように、左右に開閉可能な可動片１６１が一対設けられており、可動片１６１が閉じているときには第２始動入賞口１６０Ｂは遊技球を受け入れることができないようになっている。一方、可動片１６１が開くと、開いた状態の可動片１６１が第１遊技領域１２１又は第２遊技領域１２２を流下する遊技球を第２始動入賞口１６０Ｂへ向けて案内するガイド部材として機能することにより、第２始動入賞口１６０Ｂへの遊技球の入球が容易となる。
【００２０】
なお、可動片１６１の構成は特に限定されるものではなく、たとえば、遊技盤１１０に直交する軸を中心に左右方向に回動して第２始動入賞口１６０を開閉する一対の羽根部材や、水平な軸を中心に前後方向に回動して第２始動入賞口１６０を開閉する蓋部材により構成してもよいし、また、上下方向にスライドして第２始動入賞口１６０を開閉するシャッター部材により構成してもよい。
【００２１】
第１始動入賞口１５０又は第２始動入賞口１６０へ遊技球が入球すると、所定個数の賞球が払い出されるとともに、大入賞口１８０が開放される特別遊技を実行するか否かの大当たりの抽選が行われる。また、特別遊技には、大入賞口１８０の開放回数や開放時間、特別遊技終了後に移行する遊技状態の違いなどがそれぞれ異なる複数種類が設けられており、いずれの特別遊技を実行させるかは、各特別遊技に対応付けられた複数種類の特別図柄の中から一の特別図柄を決定する特別図柄の抽選により決定される。
【００２２】
ここで、図３に示すように、遊技盤１１０の右下部であって、かつ、遊技領域１２０の外側には、遊技についての種々の状況を表示するための装置として、第１特別図柄表示装置３００、第２特別図柄表示装置３１０、普通図柄表示装置３２０、第１特図保留表示装置３３０、第２特図保留表示装置３４０、及び普通図柄保留表示装置３５０が設けられている。
そして、第１始動入賞口１５０へ遊技球が入球すると、第１特別図柄表示装置３００において、所定時間にわたり特別図柄の変動表示が行われ、第２始動入賞口１６０（第２始動入賞口１６０Ａ及び第２始動入賞口１６０Ｂ）へ遊技球が入球すると、第２特別図柄表示装置３１０において、所定時間にわたり特別図柄の変動表示が行われる。また、この間、液晶表示装置２１０では変動演出が行われる。そして、所定時間の経過後、第１特別図柄表示装置３００又は第２特別図柄表示装置３１０の変動表示が停止し、大当たり抽選の結果を示す特別図柄が停止表示される。所定の特別遊技が当選している場合には当該特別遊技に対応付けられた特別図柄が停止表示され、ハズレの場合にはハズレに対応付けられた所定の図柄が停止表示される。液晶表示装置２１０においても図柄変動を停止させて、抽選結果に応じた図柄を停止表示させる。特別遊技に対応付けられた特別図柄が停止表示された場合には、特別遊技が開始される。
【００２３】
またここで、第１特別図柄表示装置３００又は第２特別図柄表示装置３１０において特別図柄の変動表示が行われている最中、又は特別遊技の実行中に、第１始動入賞口１５０又は第２始動入賞口１６０に遊技球が入球した場合には、その旨が記憶（保留）され、第１始動入賞口１５０への遊技球の入球に基づく記憶数（保留数）は第１特図保留表示装置３３０に、第２始動入賞口１６０への遊技球の入球に基づく保留数は第２特図保留表示装置３４０に、それぞれ表示される。例えば点灯するランプの数により、保留数が報知される。そして、特別図柄の変動表示が終了し又は特別遊技が終了した場合には、保留に基づいて大当たりの抽選及び特別図柄の抽選が行われる。保留は最大４個まですることができ、保留に基づいて大当たりの抽選及び特別図柄の抽選が行われると保留数が減じられ、それに伴い第１特図保留表示装置３３０、第２特図保留表示装置３４０の表示も減じられる。
【００２４】
ゲート２００は、図３に示すように、振分装置２５０の右斜め上方に設けられている。このゲート２００を遊技球が通過すると、上述の第２始動入賞口１６０Ｂに設けられた可動片１６１を開状態にさせて第２始動入賞口１６０Ｂを開放させるか否かの抽選が行われる。この抽選は、第２始動入賞口１６０Ｂの開放（当たり）、非開放（ハズレ）にそれぞれ対応付けられた複数種類の普通図柄の中から一の普通図柄を決定する普通図柄の抽選として行われる。そして、当該抽選の結果が当たりであった場合、可動片１６１が所定時間、開状態となり、第２始動入賞口１６０Ｂが開放されるようになっている。
【００２５】
また、ゲート２００を遊技球が通過すると、図３に示す普通図柄表示装置３２０において、所定時間にわたり、普通図柄の変動表示が行われる。そして、変動時間の経過後、普通図柄表示装置３２０の変動表示が停止し、普通図柄の抽選の結果を示す普通図柄が停止表示される。すなわち、当たりの場合には当該当たりに対応付けられた普通図柄が停止表示され、ハズレの場合にはハズレに対応付けられた所定の図柄が停止表示される。当たりに対応付けられた普通図柄が停止表示されると、第２始動入賞口１６０Ｂが開放される。第２始動入賞口１６０Ｂが開放されている場合には、より多くの遊技球を第２始動入賞口１６０へ入球させることができ、大当たりの抽選を受ける機会が増え、第２始動入賞口１６０Ｂが開放されていない場合よりも有利な状態とすることができる。
【００２６】
ここで、普通図柄表示装置３２０において普通図柄の変動表示が行われている最中に、ゲート２００を遊技球が通過した場合には、上記と同様に最大４個まで保留され、普通図柄保留表示装置３５０に保留数が表示される。そして、普通図柄の変動表示が終了した場合には、保留に基づいて普通図柄の抽選が行われ、保留数が減じられるとともに普通図柄保留表示装置３５０の表示が減じられる。
【００２７】
アタッカー装置１７０は、図３に示すように、ゲート２００の右斜め上方に設けられている。このアタッカー装置１７０は、遊技球が入球可能な大入賞口１８０と、この大入賞口１８０を開閉する開閉扉１８１と、を備えている。常態においては、開閉扉１８１が閉じられ大入賞口１８０は閉鎖されているため、当該大入賞口１８０への遊技球の入球は不可能となっているものの、上述の特別遊技が実行されると、開閉扉１８１が開き大入賞口１８０が開放されるとともに、開閉扉１８１が遊技球を大入賞口１８０へ導く案内部材として機能することにより、大入賞口１８０への遊技球の入球が可能となる。また、当該大入賞口１８０へ遊技球が入球すると、所定個数の賞球が払い出される。
【００２８】
アウト口１９０は、図３に示すように、遊技領域１２０の最下部に設けられており、一般入賞口１４０、振分装置２５０（第１始動入賞口１５０及び第２始動入賞口１６０）、及び大入賞口１８０のいずれにも入球しなかった遊技球を受け入れるものである。そして、アウト口１９０に受け入れられた遊技球は、遊技盤１１０の背面側に導かれ回収される。
なお、一般入賞口１４０、第１始動入賞口１５０、第２始動入賞口１６０及び大入賞口１８０に入球した遊技球も、遊技盤１１０の背面側に導かれ回収される。
【００２９】
液晶表示装置２１０の表示画面２１１には、背景画像が表示されるほか、所定の演出態様の一部として、演出図柄（ダミー図柄）が変動表示されるようになっている。そして、各演出図柄の停止表示態様により、特別図柄の抽選や普通図柄の抽選の結果が遊技者に報知されることとなる。
なお、遊技盤１１０に設けられる演出を行う装置としては、上記した液晶表示装置２１０の他に、可動体を備えた演出役物装置や、種々の色や発光パターンで発光することにより演出を行う遊技盤演出ランプ等を備えていてもよい。
【００３０】
（上部装飾ユニット１０）
上部装飾ユニット１０は、図１に示すように、前扉Ｄの扉枠５０（図４参照）に配置される扉装飾部１１と、遊技盤１１０の遊技領域１２０の上端部に配置される盤面装飾部１２とから構成されている。
扉装飾部１１は、図４に示すように、前扉Ｄの中央上部に設けられた可動体１３と、可動体１３の左右に配置された横飾り部１４とを備えている。可動体１３は、前扉Ｄの扉枠５０に前後方向に移動可能に取り付けられた正面視上半円形の部材であり、横飾り部１４は扉枠５０に固定された正面視円形の部材である。
【００３１】
盤面装飾部１２は、図３及び図５に示すように、外レールＲ１の最上部の下側に位置する正面視下半円形の部材であり、遊技盤１１０に固定されている。そして、前扉Ｄを閉じた状態で正面視すると、可動体１３の上半円形状の図形と、透明板４００越しに見える盤面装飾部１２の下半円形状の図形とが合わさって、円形の図形が形成されるものとなる。そして、可動体１３及び盤面装飾部１２が合わさった円形と、横飾り部１４の円形とにより、上部装飾ユニット１０全体の正面意匠が構成されるようになっている。
なお、盤面装飾部１２としては、可動体１３と合わさって一の図形を形成する下半円形状の部材だけでなく、例えば下半円形状の部材に隣接して配置される装飾部材を有していてもよい。
また、盤面装飾部１２と外レールＲ１との間に遊技球が通過可能な隙間を設けてもよい。このように形成すれば、大入賞口１８０が開放される特別遊技が行われる場合などにおいて、盤面装飾部１２の上側を遊技球が通過して、効率的に右側の遊技領域１２２に遊技球を打ち込むことができる。
【００３２】
ここで、可動体１３は、図５に示すように、扉枠５０の正面に設けられた開口部５１を貫通して設けられ、可動体１３の背面部は扉枠５０の背面側に設けられた出没機構１５と連結されている。そして、出没機構１５の作動により、可動体１３の正面が横飾り部１４の正面よりも奥側となる没入位置（図４(Ａ)、図５(Ａ)参照）と、可動体１３の正面が没入位置よりも手前側となる突出位置（図４(Ｂ)、図５(Ｂ)参照）との間で移動可能に形成されている。
【００３３】
出没機構１５は、可動体１３の背面に固定されたスライダ１５Ａと、可動体１３を突出位置方向に付勢するバネ１５Ｂと、可動体１３を没入位置でロックするロック部（特に図示しておらず）とを備え、ロック部のロックが解除されると、可動体１３がバネ１５Ｂの付勢力により突出位置に移動するようになっている。ロック部は、例えば、ソレノイドの作動によりスライダ１５Ａを係止するピンとすることができ、初期状態においてはソレノイドがＯＦＦ状態でピンがスライダ１５Ａを移動不能に係止しており、所定の契機でソレノイドがＯＮになるとピンとスライダ１５Ａとの係止が解除される。
【００３４】
また、可動体１３が突出位置にあるときに、可動体１３を正面側から押圧すると、可動体１３はバネ１５Ｂの付勢力に抗して没入位置方向に移動するようになっている。そして、図示していないが、扉枠５０の内部あるいは出没機構１５には、可動体１３が突出位置から没入位置に移動したことを検知するためのセンサが設けられており、このセンサの検知信号が制御装置８００に出力されるようになっている。すなわち、可動体１３は、プッシュボタンとして機能するように形成されている。
【００３５】
可動体１３は、初期状態においては没入位置にあり、遊技中の所定契機、例えば、大当たりの抽選に当選した場合等に該当すると、出没機構１５が作動して突出位置に移動する。制御装置８００は、例えば液晶表示装置２００を用いて遊技者に可動体１３の押圧操作を促す演出を行わせ、突出位置に移動した可動体１３を遊技者が押圧操作することにより可動体１３の移動が検知される。そして、その検知信号を入力した制御装置８００は、可動体１３の押圧操作に伴う所定の演出、例えば大当たりの当選を示唆する演出を行わせることができるようになっている。なお、可動体１３が突出位置から没入位置に移動した場合には、ロック部によって自動的に没入位置でロックされるようになっている。
【００３６】
以上のように、本実施の形態では、前扉Ｄを閉じた状態で正面視したときに、前扉Ｄの外側に設けられる扉装飾部１１と、遊技盤１１０（すなわち前扉Ｄの内側）に設けられる盤面装飾部１２とが一体となって、一つの意匠を構成するようになっている。このように形成することにより、前扉Ｄと遊技盤１１０の盤面のデザインに一体感をもたせることができ、パチンコ機Ｐのデザイン性を向上させることができる。
【００３７】
ここで、上部装飾ユニット１０は、可動体１３が没入位置にあるときに、可動体１３の正面が盤面装飾部１２の正面と極力近くなるように設計されている。すなわち、没入位置において可動体１３の正面が扉枠５０の正面からあまり突出しないように形成し、透明板４００を扉枠５０の正面近くに設けるとともに、盤面装飾部１２の正面が極力透明板４００に近くなるように形成する。このようにすることにより、初期状態で上部装飾ユニット１０を正面視したときの、可動体１３と盤面装飾部１２の前後方向のずれによる違和感をできるだけ少なくすることができる。可動体１３の正面と盤面装飾部１２の正面とがほぼ面一となるように形成するのが好ましい。
【００３８】
なお、上記した実施の形態における上部装飾ユニット１０は、扉装飾部１１の一部（可動体１３）の正面形状と盤面装飾部１２の正面形状とが合わさって正面視したとき一の図形（円形）が形成されるようになっているが、扉装飾部１１全体の正面形状と盤面装飾部１２の正面形状とが合わさって一の図形が形成されるようにしてもよい。また、上部装飾ユニット１０は、扉装飾部１１と盤面装飾部１２とが一体化して所定の図形が形成されるものに限られず、例えば扉装飾部１１と盤面装飾部１２のそれぞれに所定の文字（漢字、ひらがな、かたかな、英数字、それらの組合せ）が表示されており、扉装飾部１１の文字と盤面装飾部１２の文字が合わさって、所定の単語（例えばパチンコ機Ｐのタイトルロゴ）が形成されるようにしてもよい。あるいは、扉装飾部１１と盤面装飾部１２のそれぞれに所定の文字の半分が表示されており、扉装飾部１１の半分の文字と盤面装飾部１２の半分の文字とが合わさって、一の文字が形成されるようにしてもよい。また、扉装飾部１１と盤面装飾部１２とが一体化して、所定の図形と文字の組み合わせが形成されるようにしてもよい。
【００３９】
さらに、本実施の形態では、盤面装飾部１２と合わさって所定の図形（文字、単語）を形成する扉装飾部１１の一部を可動体１３としていたが、扉装飾部１１の全部を可動体としてもよく、逆に、可動体を設けず、扉装飾部１１の全部が扉枠５０に固定されていてもよい。要は、上部装飾ユニット１０を正面視したとき、扉装飾部１１と盤面装飾部１２とが一体となって、ひとまとまりの図形や所定の文字やそれらの組み合わせが構成されるようになっていればよい。
また、扉装飾部１１や盤面装飾部１２の内部に発光体を設け、ランプとして機能するようにしてもよい。
【００４０】
また、盤面装飾部１２を前後方向に出没可能に形成し、特別遊技が行われる場合などに盤面装飾部１２を没入させ、その表面（正面側）を遊技球が通過可能となるようにして、遊技球の移動を妨げないようにしてもよい。
さらに、盤面装飾部１２は、立体的な構造物に限られず、遊技盤１１０に貼付される装飾シートとしてもよい。この場合、盤面装飾部１２の正面側を遊技球が通過可能に形成してもよいし、通過不能であってもよい。盤面装飾部１２の正面側を遊技球が通過可能に形成する場合、盤面装飾部１２に釘を殖設したり、その他遊技球の流下に影響を及ぼす構造物を配置してもよい。この場合にも、上記と同様に、右側の遊技領域１２２に遊技球を打ち込む場合に盤面装飾部１２が遊技球の移動を妨げないようにすることができる。
【符号の説明】
【００４１】
Ｐ  パチンコ機（遊技機）                Ｄ  前扉
１０  上部装飾ユニット                  １１  扉装飾部
１２  盤面装飾部                        １３  可動体
１４  横飾り部                          １５  出没機構
１００  セット板                        １１０  遊技盤
【図１】
2017064045.tif 000003
【図２】
2017064045.tif 000004
【図３】
2017064045.tif 000005
【図４】
2017064045.tif 000006
【図５】
2017064045.tif 000007